(57)【要約】      （修正有）【課題】省スペース化および作業の効率化を実現する通信回線用端子板を提供する。【解決手段】端子板の筐体部１を２つの区画に分け、一方の区画には接続端子１３とモジュラージャック１２をスター状に配線した電話用スター配線部材を端子板に対し取り外し自在の基板上１１に設けると共に、立ち上がり壁１０Ａには電話ケーブル導入口１５を設けることによりスター配線用端子部１０とする。他方の区画には内部に収容した光ケーブルを成端処理するための収容空間と成端処理した光ケーブルを光コネクタにより接続するための光アダプタ２７を設けると共に、立ち上がり壁２０Ａには光ケーブルを外部から導入するための溝状の光ケーブル導入口２１と、同じく取り出しするための溝状の光ケーブル取り出し口２４を設けることにより光成端部２０とする。【選択図】図１
0003156682.tif 000002
【実用新案登録請求の範囲】
【請求項１】
周囲に立ち上がり壁を有する筐体部と、これに被蓋される蓋部を有する端子板において、筐体部を２つの区画に分け、一方の区画には接続端子とモジュラージャックをスター状に配線した電話用スター配線部材を端子板に対し取り外し自在の基板上に設けると共に、立ち上がり壁には電話ケーブル導入口を設けることによりスター配線用端子部とし、他方の区画には内部に収容した光ケーブルを成端処理するための収容空間と成端処理した光ケーブルを光コネクタにより接続するための光アダプタを設けると共に、立ち上がり壁には光ケーブルを外部から導入するための溝状の光ケーブル導入口と、同じく取り出しするための溝状の光ケーブル取り出し口を設けることにより光成端部としたことを特徴とする通信回線用端子板。
【請求項２】
筐体の底部にマグネットを設けると共に、蓋部の表面にマグネットが吸着可能な金属プレートを設けることにより、端子板同士または筐体の底部にマグネットを設けると共に、蓋部の表面にマグネットが吸着可能な金属プレートを設けた他の通信機器を積み重ね状態で固定可能とした請求項１記載の通信回線用端子板において、下記のケーブル抜け止め機構を設けた通信回線用端子板。
(1) スター配線用端子部の溝状の電話ケーブル導入口の裏側にして、それとオフセットした位置に柱状突起を立設し、電話ケーブルを上記柱状突起と立ち上がり壁の間を通過させることにより、電話ケーブルを電話ケーブル導入口の手前で屈曲させて、柱状突起と電話ケーブル導入口の溝壁に掛止することにより抜け止めとした電話ケーブル抜け止め機構。
(2) 光成端部の光ケーブル導入口を構成する切り欠き溝の溝壁の内方に滑り止め突起を突設すると共に、光ケーブル取り出し口を構成する切り欠き溝の溝壁の内方に滑り止め突起を突設した光ケーブル抜け止め機構。
【考案の詳細な説明】
【技術分野】
【０００１】
この考案は、宅内配線において各種ケーブルを接続するための通信回線用端子板に関する。
【背景技術】
【０００２】
宅内配線において、屋外から屋内に引き込まれる電話ケーブルを電話機などの通信機器用にスター配線する電話用スター配線端子板が使われている。一方、近年のデータ通信などのブロードバンドサービスの拡大により、光ケーブルを宅内に引き込む需要も増え、屋外から屋内に引き込まれる光ケーブルを内部で成端処理するための光成端箱も使われるようになっており、これらは別系統であることからそれぞれ個別に設置されていた。
【先行技術文献】
【特許文献】
【０００３】
【特許文献１】特開２００２−３６５４４５号公報
【特許文献２】実開平６−６００８６号公報
【考案の概要】
【考案が解決しようとする課題】
【０００４】
ところで、ブロードバンドサービスの拡大に伴うホームネットワークの普及と共に、宅内には光回線終端装置、ホームゲートウェイ、ハブなどの多くの機器を設置しなくてはならず、設置スペースが限られてきたり、作業が複雑化する問題があった。
【課題を解決するための手段】
【０００５】
この考案は前記の従来技術の問題点に鑑みて創作されたものであり、周囲に立ち上がり壁を有する筐体部と、これに被蓋される蓋部を有する端子板において、筐体部を２つの区画に分け、一方の区画には接続端子とモジュラージャックをスター状に配線した電話用スター配線部材を端子板に対し取り外し自在の基板上に設けると共に、立ち上がり壁には電話ケーブル導入口を設けることによりスター配線用端子部とし、他方の区画には内部に収容した光ケーブルを成端処理するための収容空間と成端処理した光ケーブルを光コネクタにより接続するための光アダプタを設けると共に、立ち上がり壁には光ケーブルを外部から導入するための溝状の光ケーブル導入口と、同じく取り出しするための溝状の光ケーブル取り出し口を設けることにより光成端部としたことを特徴とする。
【０００６】
また、ここでは第２考案として、前記の考案において筐体の底部にマグネットを設けると共に、蓋部の表面にマグネットが吸着可能な金属プレートを設けることにより、端子板同士または筐体の底部にマグネットを設けると共に、蓋部の表面にマグネットが吸着可能な金属プレートを設けた他の通信機器を積み重ね状態で固定可能とした通信回線用端子板において、下記のケーブル抜け止め機構を設けた通信回線用端子板も開示する。
(1) スター配線用端子部の溝状の電話ケーブル導入口の裏側にして、それとオフセットした位置に柱状突起を立設し、電話ケーブルを上記柱状突起と立ち上がり壁の間を通過させることにより、電話ケーブルを電話ケーブル導入口の手前で屈曲させて、柱状突起と電話ケーブル導入口の溝壁に掛止することにより抜け止めとした電話ケーブル抜け止め機構。
(2) 光成端部の光ケーブル導入口を構成する切り欠き溝の溝壁の内方に滑り止め突起を突設すると共に、光ケーブル取り出し口を構成する切り欠き溝の溝壁の内方に滑り止め突起を突設した光ケーブル抜け止め機構。
【考案の効果】
【０００７】
以上の構成からなるこの考案の通信回線用端子板によれば、筐体部を２つの区画に分け、一方の区画は電話用のスター配線用端子部とし、他方の区画は光成端部としているので、これらが筐体を共通にする１台の機器にまとまり、機器の設置面積が少なくなり、ケーブルの引き回しによるスペースも光ケーブルと電話ケーブルが内部にまとめられ、設置スペースの省スペース化を図ることができる。
【０００８】
また、光成端箱機能を備えた部材と、電話用スター配線端子機能を備えた部材が隣接して配されることになるので、機器の取付作業や光ケーブルと電話ケーブルの配線作業を一度に行うことが可能となり、作業時間の短縮を図ることができる。
【０００９】
一方、この考案の通信回線用端子板によれば、電話用スター配線端子機能を備えた部材は端子板に対し取り外し自在の基板上に設けるようにしているので、端子板を設置後、スター配線の分岐数を増やしたり、回線数を増やしたする場面が生じた場合でも端子板を交換せず基板の交換だけで対応できる。よって、端子板の筐体部を共通にする光成端部の接続に影響を及ぼすことがなく、光成端箱機能を備えた部材と、電話用スター配線端子機能を備えた部材を１台の筐体にまとめても弊害を生じることがない。
【００１０】
また、第２考案の通信回線用端子板によれば、端子板同士または他の通信機器を積み重ね状態でマグネットにより着脱自在に固定でき、メンテナンスや増設の場面に応じて臨機応変に着脱することができる。しかしながら、電話用スター配線端子板単体、光成端箱単体の場合と異なり、両者の複合機能を備えたこの考案の端子板の場合は１台の端子板に対し引き込んだり、引き出されているケーブルの本数が多く、また、別系統のものが混在しているので、着脱に際してこれらが端子板から不用意に引き出されて収集がつかなくなるおそれがある。そこで、第２考案においてはケーブル抜け止め機構をスター配線用端子部と光成端部の双方に設けることによりこれを防止している。
【図面の簡単な説明】
【００１１】
【図１】この考案の通信回線用端子板の蓋部を外した状態の斜視図。
【図２】同上、平面図。
【図３】この考案の通信回線用端子板の斜視図。
【図４】この考案の通信回線用端子板のスター配線用端子部の基板の異なる実施例を示す基板付近の要部の平面図。
【図５】この考案の通信回線用端子板の光ケーブル導入口付近の要部の斜視図。
【図６】この考案の通信回線用端子板の電話ケーブル導入口付近の要部の平面図。
【図７】この考案の通信回線用端子板のネジ止め穴の斜視図。
【図８】この考案の異なる実施例の通信回線用端子板の斜視図。
【考案を実施するための形態】
【００１２】
以下、この考案の通信回線用端子板の具体的実施例を添付図面に基づいて説明する。この考案の通信回線用端子板は周囲に立ち上がり壁を有する筐体部１と、これに被蓋される蓋部５を有する端子板において、筐体部を２つの区画に分け、一方の区画をスター配線用端子部１０とし、他方の区画を光成端部２０とした構成を有する。図１、２は筐体１を示す図であり、中央に仕切り壁２を設けることにより、この仕切り壁と立ち上がり壁１０Ａに囲まれるスター配線用端子部１０の区画と、同じく仕切り壁と立ち上がり壁２０Ａに囲まれる光成端部２０の区画を得ている。
【００１３】
スター配線用端子部１０の区画においては接続端子１３とモジュラージャック１２をスター状に配線した電話用スター配線部材が収容されるが、この考案においてはこれらはネジ１４により筐体１に対し取り外し自在に設けられる基板１１上に設けている。よって、基板を交換するだけでスター配線の分岐数を増やしたり、回線数を増やしたすることが可能となる。例えば、図１、２においてはモジュラージャック１２を１個と３つの接続端子１３群を備えた基板１１が図示されているが、これを図４に示すモジュラージャック１２を２個と４つの接続端子１３群を備えた基板１１に交換するだけで回線数および分岐数を増やすことが可能となる。
【００１４】
前記のスター配線用端子部１０には電話ケーブル導入口１５が設けられるが、この実施例においては必要に応じて開口するノックアウト状の開口として用意される。そして、図６に示すように、このうちモジュラージャック１２に近接する電話ケーブル導入口１５に関しては、電話ケーブル導入口の裏側にして、それとオフセットした位置に柱状突起１６を立設し、電話ケーブルＴＣを上記柱状突起と立ち上がり壁１０Ａの間を通過させることにより、電話ケーブルを電話ケーブル導入口の手前で屈曲させている。よって、電話ケーブルＴＣは柱状突起１６と電話ケーブル導入口１５の溝壁に掛止することにより抜け止め作用を得ることができる。
【００１５】
次に、光成端部２０の区画においては内部に収容した光ケーブルを成端処理するための収容空間と成端処理した光ケーブルを光コネクタにより接続するための光アダプタ２７が設けられる。そして、立ち上がり壁２０Ａには光ケーブルを外部から導入するための溝状の光ケーブル導入口２１がこの実施例においては３箇所に、同じく光ケーブルを取り出しするための溝状の光ケーブル取り出し口２４がこの実施例においては２箇所に設けられる。また、底板に設けた貫通穴２３を介して筐体１の裏面から光ケーブルを導入するための溝状の光ケーブル導入口２２がこの実施例においては区画内に２箇所設けられる。これらの導入口および取り出し口には、図５に示すように溝壁の内方に滑り止め突起（図５においては図中符号２１Ａ）が突設されることにより光ケーブルの抜け止め作用を得ることができる。
【００１６】
なお、図中符号２６は光ケーブルのスリーブホルダーであり、一方の立ち上がり壁に突起を設けた相対向する一対の立ち上がり壁間にスリーブを挟持することにより、さまざまなスリーブの大きさに対応できるようにしてある。また、図中符号２５Ａ、２５Ｂは光ケーブルを巻回するための巻回部であり、２箇所に配することにより、成端処理前のケーブルと成端処理後のケーブルに振り分けて使用できるようにしてある。
【００１７】
以上の構成よりなる筐体１には蓋部５が被蓋されるが、この実施例では蓋部の後端に設けた係合突起（図示せず）が、筐体１の後端に立設した起立片の係合穴３に係合するようにしている。また、筐体１にはそれを建物にネジ止めするためのネジ止め穴４が設けられるが、図７に示すようにネジ止め穴の内周に突起４Ａを設けることにより、ネジ止めの際にネジＢを仮固定できるようにして作業性を高めている。
【００１８】
図８はこの考案の通信回線用端子板の異なる実施例を示す図である。この実施例においては通信回線用端子板の筐体１の底部にマグネットを設けると共に（図示せず）、蓋部５の表面にマグネットが吸着可能な金属プレート６を設けることにより、端子板同士を積み重ね状態で固定可能としている。
【符号の説明】
【００１９】
１                筐体部
１０              スター配線用端子部
１０Ａ            立ち上がり壁
１１              基板
１２              モジュラージャック
１３              接続端子
２０              光成端部
２０Ａ            立ち上がり壁
２１              光ケーブル導入口
２４              光ケーブル取り出し口
【図１】
0003156682.tif 000003
【図２】
0003156682.tif 000004
【図３】
0003156682.tif 000005
【図４】
0003156682.tif 000006
【図５】
0003156682.tif 000007
【図６】
0003156682.tif 000008
【図７】
0003156682.tif 000009
【図８】
0003156682.tif 000010